(57)【要約】【課題】  ユーザが、いずれの階層のデジタル放送が行われているのかを容易に把握することができ、かつ、デジタル放送の画音をすみやかに視聴することができる「デジタル放送受信機」を提供すること。【解決手段】  選局された放送局が、デジタル放送を視聴可能な状態として出力するための放送局からの放送鍵の取得を必要としない階層である放送鍵不要階層のデジタル放送を行っている場合には、この放送鍵不要階層のデジタル放送を、放送局を選局した後に一定時間自動的に出力するように形成されていること。【選択図】      図１
2007110408.tif 000002
【特許請求の範囲】
【請求項１】
選局された放送局から送信された少なくとも１つの階層を有するデジタル放送を受信して出力するデジタル放送受信機であって、
前記放送局が、デジタル放送を視聴可能な状態として出力するための前記放送局からの放送鍵の取得を必要としない階層である放送鍵不要階層のデジタル放送を行っている場合には、この放送鍵不要階層のデジタル放送を、前記放送局が選局された後に一定時間自動的に出力するように形成されていること
を特徴とするデジタル放送受信機。
【請求項２】
前記放送鍵不要階層のデジタル放送を一定時間自動的に出力した後に、前記放送局から、デジタル放送を視聴可能な状態として出力するための前記放送局からの放送鍵の取得を必要とする階層である放送鍵必要階層のデジタル放送についての放送鍵が取得されている場合に、前記放送鍵必要階層のデジタル放送の出力に自動的に切り替えるように形成されていること
を特徴とする請求項１に記載のデジタル放送受信機。
【請求項３】
前記放送鍵必要階層のデジタル放送の出力に自動的に切り替えた後に、前記放送鍵必要階層のデジタル放送の受信状況が悪化した場合に、前記放送鍵不要階層のデジタル放送の出力に自動的に切り替えるように形成されていること
を特徴とする請求項２に記載のデジタル放送受信機。
【請求項４】
前記放送鍵不要階層のデジタル放送の出力に自動的に切り替えた後に、前記放送鍵必要階層のデジタル放送の受信状況が回復した場合に、前記放送鍵必要階層のデジタル放送の出力に再度自動的に切り替えるように形成されていること
を特徴とする請求項３に記載のデジタル放送受信機。
【請求項５】
前記放送局から送信されたデジタル放送は、伝送帯域が１３個のセグメントに分割されたセグメント構造を有しており、このセグメント構造における１２個のセグメントによって前記放送鍵必要階層のデジタル放送が行われ、前記セグメント構造における１個のセグメントによって、前記放送鍵不要階層のデジタル放送が行われること
を特徴とする請求項１乃至請求項４のいずれか１項に記載のデジタル放送受信機。
【請求項６】
前記放送鍵不要階層のデジタル放送が、携帯向けのデジタル放送とされ、前記放送鍵必要階層のデジタル放送が、固定向けのデジタル放送とされていること
を特徴とする請求項１乃至請求項５のいずれか１項に記載のデジタル放送受信機。
【発明の詳細な説明】
【技術分野】
【０００１】
本発明は、デジタル放送受信機に係り、特に、放送局から送信されたデジタル放送を受信して出力するのに好適なデジタル放送受信機に関する。
【背景技術】
【０００２】
地上波デジタルテレビ放送では、１つのチャンネル（例えば、約５．６ＭＨｚの伝送帯域）の中を、１３個のセグメント（例えば、１セグメント＝４２９ｋＨｚ）に分割し、セグメント単位で異なる変調方式を適用することにより、固定向けのデジタル放送と、移動体または携帯向けのデジタル放送とを同時に行うことが可能となっている。
【０００３】
図３は、このような地上波デジタルテレビ放送のセグメント構造の一例として、ＯＦＤＭ（Orthogonal Frequency Division Multiplexing）のスペクトラムを示すものであり、このセグメント構造は、１３個のセグメントＳにおける中央の１個のセグメントＳが、移動体または携帯向けのデジタル放送を行うセグメントＳとされている。
【０００４】
この中央の１個のセグメントＳには、変調方式として、ノイズやマルチパスに強くビットレートが少ないＱＰＳＫ（Quadrature Phase Shift Keying）が適用されている。
【０００５】
この１個のセグメントＳによる移動体または携帯向けのデジタル放送（通称１セグ放送）は、強階層と呼称されており、この強階層のデジタル放送では、簡易動画放送が可能とされている。
【０００６】
一方、１３個のセグメントＳにおける中央の１個のセグメントＳを除く１２個のセグメントＳは、固定向けのデジタル放送を行うセグメントＳとされている。
【０００７】
これら１２個のセグメントＳには、変調方式として、ノイズやマルチパスに弱くビットレートが多い６４ＱＡＭ（Quadrature Amplitude Modulation）が適用されている。
【０００８】
これら１２個のセグメントＳによる固定向けのデジタル放送は、弱階層と呼称されており、この弱階層のデジタル放送では、ＨＤＴＶ（High Definition TeleVision）放送やＳＤＴＶ（Standard Definition TeleVision）放送が可能とされている。
【０００９】
なお、現在は、弱階層のデジタル放送のみが実施されており、強階層のデジタル放送については、２００６年の４月に実施の開始が予定されている。
【００１０】
また、車載用のデジタル放送受信機においては、携帯向け（強階層）の放送の方が、固定向け（弱階層）の放送よりも受信しやすいことから、車載アプリケーションとして固定向けのデジタル放送を受信することができない場合の補間放送として、携帯向け放送を受信することが想定されている。
【００１１】
このようなデジタル放送受信機では、ある１つのチャンネル、すなわち、選局された放送局から、固定向けのデジタル放送と携帯向けのデジタル放送とを同時に受信した場合に、固定向けのデジタル放送または携帯向けのデジタル放送のいずれか一方の画音が出力されることになる。
【００１２】
その際に、固定向けのデジタル放送と携帯向けのデジタル放送との間で出力を切り替える場合が生じるが、この出力の切り替えの方法は、デジタル放送受信機に実装されたアプリーケーションに依存する。
【００１３】
例えば、最も単純な切り替え方法としては、図４に示すように、固定向けのデジタル放送（図４における固定向け）と携帯向けのデジタル放送（図４における携帯向け）とを専らユーザによる操作（図４におけるユーザ操作）によって切り替える方法を挙げることができる。
【００１４】
これ以外にも、例えば、図５に示すように、画質や音質が良好な固定向けのデジタル放送を優先的に出力するように設定しておき、固定向けのデジタル放送の受信状況が悪化した場合に、携帯向けのデジタル放送に自動的に切り替え、その後、固定向けのデジタル放送の受信状況が回復した場合に、固定向けのデジタル放送に自動的に切り替える方法を挙げることができる。
【００１５】
ところで、地上波デジタルテレビ放送では、コンテンツ保護（RMP：Rights Management & Protection）の方式として、現在、株式会社ビーエス・コンディショナルアクセスシステムズ(Ｂ−ＣＡＳ)が発行しているＢ−ＣＡＳカードを用いた方式が運用されている。
【００１６】
最近では、このＢ−ＣＡＳカードを用いた方式に代わる新たな方式として、図６に示すような方式（以下、新ＲＭＰ方式と称する）が提案されている。
【００１７】
新ＲＭＰ方式では、まず、メーカが、ＲＭＰ管理センタに、メーカが製造するデジタル放送受信機に対するデバイス鍵の発行を依頼する。
【００１８】
次いで、ＲＭＰ管理センタは、メーカからデバイス鍵の発行を依頼されたデジタル放送受信機に対してデバイス鍵を発行するとともに、発行したデバイス鍵の情報を、全放送局（図６における放送局Ａ〜Ｃ）に通知する。
【００１９】
次いで、各放送局は、ＲＭＰ管理センタから通知されたデバイス鍵に対応した放送鍵（図６における放送鍵Ａ〜Ｃ）を用意し、この用意した放送鍵を、デバイス鍵を搭載したデジタル放送受信機に送信する。この放送鍵の送信間隔は、約５秒とされている。
【００２０】
次いで、デジタル放送受信機は、各放送局から送信された放送鍵を受信し、この受信した放送鍵を用いることによって、各放送局から現在受信しているデジタル放送波のスクランブルを解除する。
【００２１】
このように、コンテンツの不正コピーを防止しつつ、固定向け（弱階層）のデジタル放送と移動体または携帯向け（強階層）のデジタル放送とを同時に受信して選択的に出力することについては、既に具体的な提案がなされている。
【００２２】
【特許文献１】特開２００１−３０９２６７号公報
【特許文献２】特開２００３−００６８号公報
【発明の開示】
【発明が解決しようとする課題】
【００２３】
しかし、前述のように、固定向け（弱階層）のデジタル放送と移動体または携帯向け（強階層）のデジタル放送とを同時に受信して選択的に出力する方式を採用する場合であっても、全ての放送局が移動体または携帯向けのデジタル放送を行うとは限らない。
【００２４】
このため、チャンネルの切り替えによって放送局を選局した場合に、その放送局が固定向けのデジタル放送のみを行っているのか、または、固定向けのデジタル放送とともに、移動体または携帯向けのデジタル放送を行っているのかを容易に把握することができないといった問題が生じていた。
【００２５】
具体的には、チャンネルを切り替える度に、固定向けと移動体または携帯向けとの切り替えを行って確認することが必要となっていた。
【００２６】
さらに、固定向けのデジタル放送では、放送局ごとに放送鍵が異なるため、チャンネルを切り替えた後、そのチャンネルの放送局から放送鍵を取得するまでの時間（最大約５秒間）は、ユーザがデジタル放送の画音を視聴することができないといった問題が生じていた。
【００２７】
なお、デジタル放送受信機に備えられた機能であるスキャンを実行した際に、各放送局の放送鍵をまとめて記憶しておけば、各放送局へのチャンネル切り替えの際に放送鍵が取得される時間を待つ必要はなくなる。
【００２８】
しかし、この場合には、スキャンの際に多数の放送局の放送鍵を取得して記憶する時間が必要となり、スキャン自体の時間が長くなるので、結果的に、ユーザが所望の放送局から放送されるデジタル放送の画音をすみやかに視聴できないことに変りがない。
【００２９】
さらに、このようなスキャンの際に各放送局の放送鍵をまとめて記憶する方法は、ＵＰ／ＤＯＷＮ（ＳＥＥＫ）受信やダイレクト受信等のスキャン結果を利用しない選局を行う場合には不向きとなる。
【００３０】
そこで、本発明は、このような問題点に鑑みなされたものであり、ユーザが、いずれの階層のデジタル放送が行われているのかを容易に把握することができ、かつ、デジタル放送の画音をすみやかに視聴することができるデジタル放送受信機を提供することを目的とするものである。
【課題を解決するための手段】
【００３１】
前述した目的を達成するため、本発明に係るデジタル放送受信機は、選局された放送局が、デジタル放送を視聴可能な状態として出力するための前記放送局からの放送鍵の取得を必要としない階層である放送鍵不要階層のデジタル放送を行っている場合には、この放送鍵不要階層のデジタル放送を、前記放送局が選局された後に一定時間自動的に出力するように形成されていることを特徴としている。
【００３２】
そして、このように構成されたデジタル放送受信機によれば、選局された放送局が放送鍵不要階層のデジタル放送を行っている場合には、この放送鍵不要階層のデジタル放送を放送局の選局後に自動的に出力することにより、ユーザが、煩雑な操作を要することなく、選局された放送局が放送鍵不要階層のデジタル放送を行っていることを把握することが可能となる。さらに、放送局の選局後に、放送鍵の取得を必要としない放送鍵不要階層のデジタル放送を出力することによって、デジタル放送を迅速に視聴可能な状態として出力することが可能となる。
【００３３】
また、本発明に係るデジタル放送受信機は、放送鍵不要階層のデジタル放送を一定時間自動的に出力した後に、放送局から、デジタル放送を視聴可能な状態として出力するための前記放送局からの放送鍵の取得を必要とする階層である放送鍵必要階層のデジタル放送についての放送鍵が取得されている場合に、前記放送鍵必要階層のデジタル放送の出力に自動的に切り替えるように形成されていることを特徴としている。
【００３４】
そして、このように構成されたデジタル放送受信機によれば、放送鍵必要階層のデジタル放送についての放送鍵が取得された後には、放送鍵不要階層のデジタル放送に替わって、画質および音質に優れた放送鍵必要階層のデジタル放送を自動的に出力することが可能となる。
【００３５】
さらに、本発明に係るデジタル放送受信機は、放送鍵必要階層のデジタル放送の出力に自動的に切り替えた後に、放送鍵必要階層のデジタル放送の受信状況が悪化した場合に、放送鍵不要階層のデジタル放送の出力に自動的に切り替えるように形成されていることを特徴としている。
【００３６】
そして、このように構成されたデジタル放送受信機によれば、放送鍵必要階層のデジタル放送の受信状況が悪化した場合には、受信状況が良好な放送鍵不要階層のデジタル放送の出力に自動的に切り替えることが可能となる。
【００３７】
さらにまた、本発明に係るデジタル放送受信機は、放送鍵不要階層のデジタル放送の出力に自動的に切り替えた後に、放送鍵必要階層のデジタル放送の受信状況が回復した場合に、放送鍵必要階層のデジタル放送の出力に再度自動的に切り替えるように形成されていることを特徴としている。
【００３８】
そして、このように構成されたデジタル放送受信機によれば、放送鍵必要階層のデジタル放送の受信状況が回復した場合には、画質および音質に優れた放送鍵必要階層のデジタル放送の出力に再度自動的に切り替えることが可能となる。
【００３９】
また、本発明に係るデジタル放送受信機は、選局された放送局から送信されたデジタル放送が、伝送帯域が１３個のセグメントに分割されたセグメント構造を有しており、このセグメント構造における１２個のセグメントによって放送鍵必要階層のデジタル放送が行われ、前記セグメント構造における１個のセグメントによって、放送鍵不要階層のデジタル放送が行われることを特徴としている。
【００４０】
そして、このように構成されたデジタル放送受信機によれば、１２個のセグメントによって画質および音質に優れた放送鍵必要階層のデジタル放送を行うことが可能となるとともに、１個のセグメントによってデジタル放送を迅速に視聴可能な状態として出力することができる放送鍵不要階層のデジタル放送を行うことが可能となる。
【００４１】
さらに、本発明に係るデジタル放送受信機は、放送鍵不要階層のデジタル放送が、携帯向けのデジタル放送とされ、放送鍵必要階層のデジタル放送が、固定向けのデジタル放送とされていることを特徴としている。
【００４２】
そして、このように構成されたデジタル放送受信機によれば、選局された放送局が携帯向けのデジタル放送を行っている場合には、この携帯向けのデジタル放送を放送局の選局後に自動的に出力することにより、ユーザが、煩雑な操作を要することなく、選局された放送局が携帯向けのデジタル放送を行っていることを把握することが可能となる。さらに、放送局の選局後に、放送鍵の取得を必要としない携帯向けのデジタル放送を出力することによって、デジタル放送を迅速に視聴可能な状態として出力することが可能となる。
【発明の効果】
【００４３】
本発明に係るデジタル放送受信機によれば、選局された放送局が放送鍵不要階層のデジタル放送を行っている場合には、この放送鍵不要階層のデジタル放送を放送局の選局後に自動的に出力することにより、ユーザが、煩雑な操作を要することなく、選局された放送局が放送鍵不要階層のデジタル放送を行っていることを把握することができる結果、ユーザが、いずれの階層のデジタル放送が行われているのかを容易に把握することができる。
【００４４】
さらに、前記デジタル放送受信機によれば、放送局の選局後に、放送鍵の取得を必要としない放送鍵不要階層のデジタル放送を出力することによって、デジタル放送を迅速に視聴可能な状態として出力することができる結果、ユーザが、デジタル放送の画音をすみやかに視聴することができる。
【００４５】
また、本発明に係るデジタル放送受信機によれば、放送鍵必要階層のデジタル放送についての放送鍵が取得された後には、放送鍵不要階層のデジタル放送に替わって、画質および音質に優れた放送鍵必要階層のデジタル放送を自動的に出力することができる結果、ユーザが、煩雑な操作を要さずに、より高品質なデジタル放送の画音を視聴することができる。
【００４６】
さらに、本発明に係るデジタル放送受信機によれば、放送鍵必要階層のデジタル放送の受信状況が悪化した場合には、受信状況が良好な放送鍵不要階層のデジタル放送の出力に自動的に切り替えることができる結果、ユーザが、煩雑な操作を要さずにデジタル放送の画音を安定的に視聴することができる。
【００４７】
さらにまた、本発明に係るデジタル放送受信機によれば、放送鍵必要階層のデジタル放送の受信状況が回復した場合には、放送鍵必要階層のデジタル放送の出力に自動的に切り替えることができる結果、ユーザが、煩雑な操作を要さずに、さらに高品質なデジタル放送の画音を視聴することができる。
【００４８】
また、本発明に係るデジタル放送受信機によれば、１２個のセグメントによって放送鍵必要階層のデジタル放送を行うことができるとともに、１個のセグメントによって放送鍵不要階層のデジタル放送を行うことができる結果、汎用性を確保することができる。
【００４９】
さらに、本発明に係るデジタル放送受信機によれば、選局された放送局が携帯向けのデジタル放送を行っている場合には、この携帯向けのデジタル放送を放送局の選局後に自動的に出力することにより、ユーザが、煩雑な操作を要することなく、選局された放送局が携帯向けのデジタル放送を行っていることを把握することができる結果、ユーザが、携帯向けのデジタル放送が行われているか否かを容易に把握することができる。さらに、このデジタル放送受信機によれば、放送局の選局後に、放送鍵の取得を必要としない携帯向けのデジタル放送を出力することによって、デジタル放送を迅速に視聴可能な状態として出力することができる結果、ユーザが、デジタル放送の画音をすみやかに視聴することができる。
【発明を実施するための最良の形態】
【００５０】
以下、本発明に係るデジタル放送受信機の実施形態について、図１および図２を参照して説明する。
【００５１】
図１に示すように、本実施形態におけるデジタル放送受信機１は、アンテナ２と、このアンテナ２に接続されたＦ／Ｅ（フロントエンド）部３とを有している。
【００５２】
Ｆ／Ｅ部３は、ユーザによるチャンネル切り替え操作によって、デジタル放送を受信する放送局（チャンネル）を選局するようになっている。
【００５３】
そして、アンテナ２は、Ｆ／Ｅ部３によって選局された放送局から送信されたデジタル放送波（ＲＦ：Radio Frequency）を受信し、受信したデジタル放送波を出力するようになっている。
【００５４】
アンテナ２から出力されたデジタル放送波は、Ｆ／Ｅ部３に入力されるようになっている。
【００５５】
ここで、デジタル放送波は、前述したように、１つのチャンネルの中を複数（現状では１３個）のセグメントＳに分割したセグメント構造を有している（図３参照）。
【００５６】
そして、セグメント構造の具体的な利用形態に応じて、いずれの階層のデジタル放送を行うことができるかが異なることになる。
【００５７】
セグメント構造の利用形態の一例として、前述したように、１３個のセグメントＳにおける１２個のセグメントＳに、変調方式として６４ＱＡＭを適用し、かつ、残余の１個のセグメントＳに、変調方式としてＱＰＳＫを適用する場合には、弱階層のデジタル放送としての固定向けのデジタル放送と、強階層のデジタル放送としての携帯向けのデジタル放送とを行うことができる。なお、本実施形態において、携帯向けのデジタル放送は、固定向けのデジタル放送と同じチャンネルについての簡易動画放送であるものとする。
【００５８】
セグメント構造の利用形態の他の一例として、１３個のセグメントＳのすべてに６４ＱＡＭを適用する場合には、弱階層のデジタル放送のみを行うことができる。
【００５９】
本実施形態において、前記強階層は、デジタル放送をユーザが視聴可能な状態として出力するために放送局から放送鍵を取得することが必要とならない階層である放送鍵不要階層の一形態とされている。したがって、携帯向けのデジタル放送の場合には、選局された放送局から放送鍵を取得する必要がないため、ユーザが、デジタル放送の画音をすみやかに視聴することができる。
【００６０】
一方、前記弱階層は、デジタル放送をユーザが視聴可能な状態として出力するために放送局から放送鍵を取得することが必要となる階層である放送鍵必要階層の一形態とされている。したがって、固定向けのデジタル放送の場合には、選局された放送局から放送鍵を取得してスクランブルを解除しない限り、ユーザがデジタル放送の画音を視聴することができない。
【００６１】
Ｆ／Ｅ部３は、アンテナ２側から入力されたデジタル放送波を復調してMPEG2-TS(Transport Stream)を取り出し、取り出したMPEG2-TSを出力するようになっている。
【００６２】
Ｆ／Ｅ部７の出力側には、Ｂ／Ｅ（バックエンド）部５が接続されており、このＢ／Ｅ部５には、Ｆ／Ｅ部３から出力されたMPEG2-TSが入力されるようになっている。
【００６３】
Ｂ／Ｅ部５には、ＶＲＡＭ１２が接続されており、このＶＲＡＭ１２には、前述した新ＲＭＰ方式において、放送局から通知された固定向けのデジタル放送のデバイス鍵が記憶されている。
【００６４】
各放送局は、このデバイス鍵が記憶された機種に対してのみ、このデバイス鍵に対応する放送鍵を送信することになる。
【００６５】
また、Ｂ／Ｅ部５には、ＣＰＵ６が接続されており、このＣＰＵ６は、デジタル放送を出力するための種々の制御を行うようになっている。
【００６６】
Ｂ／Ｅ部５は、ＣＰＵ６による制御により、Ｆ／Ｅ部３側から入力されたMPEG2-TSを、オーディオデータ、ビデオデータおよびその他の各種データ（ＢＭＬデータや字幕データ等）に分解し、分解した各データを出力するようになっている。
【００６７】
このとき、Ｂ／Ｅ部５は、固定向けのデジタル放送におけるMPEG2-TSに対しては、アンテナ２を介して放送鍵が取得された後に、この取得された放送鍵を用いてスクランブルを解除するようになっている。これにより、固定向けのデジタル放送をユーザが視聴可能な状態として出力することができる。
【００６８】
Ｂ／Ｅ部５の出力側には、スピーカ７が接続されており、このスピーカ７には、Ｂ／Ｅ部５から出力されたオーディオデータが入力されるようになっている。
【００６９】
そして、スピーカ７は、Ｂ／Ｅ部５側から入力されたオーディオデータを音声に変換して再生（音声出力）するようになっている。
【００７０】
Ｂ／Ｅ部５の出力側には、ディスプレイ８が接続されており、このディスプレイ８には、Ｂ／Ｅ部５から出力されたビデオデータおよび各種データが入力されるようになっている。
【００７１】
そして、ディスプレイ８は、Ｂ／Ｅ部５側から入力されたビデオデータおよび各種データを映像に変換して表示画面上に表示するようになっている。
【００７２】
また、Ｂ／Ｅ部５とディスプレイ８との間には、加算器１０が接続されており、この加算器１０の入力側には、ＯＳＤ（On Screen Display）部１１が接続されている。
【００７３】
ＯＳＤ部１１は、ＣＰＵ６による制御により、メニュー画面やバナーなどのデジタル放送受信機１のアプリケーションに基づいた画像を作成して加算器１０に入力するようになっている。
【００７４】
なお、前記メニュー画面としては、例えば、前述したユーザによるチャンネル切り替え操作によって選局を行うための操作画面等を挙げることができる。また、前記バナーとしては、例えば、選局された放送局のチャンネル番号や放送局名等を挙げることができる。
【００７５】
したがって、ディスプレイ８の表示画面上には、デジタル放送の映像の他にも、ＯＳＤ部１１によって作成された画像が適宜表示されることになる。
【００７６】
本実施形態において、Ｂ／Ｅ部５は、選局された放送局が、携帯向け（放送鍵不要階層）のデジタル放送を行っている場合には、ＣＰＵ６による制御によって、携帯向けのデジタル放送を、前記放送局を選局した後にデフォルトとして一定時間自動的に出力するようになっている。
【００７７】
例えば、前述した１３個のセグメント構造を有する固定向けのデジタル放送（１２セグメント）と携帯向けのデジタル放送（１セグメント）とがアンテナ２を介して同時に受信された場合に、Ｂ／Ｅ部５は、前記一定時間の間は、携帯向けのデジタル放送におけるMPEG2-TSを分解して得られた各データのみを、スピーカ７およびディスプレイ８にそれぞれ出力することになる。
【００７８】
これにより、ユーザは、煩雑な操作、すなわち、デジタル放送の出力の切り替え操作を要することなく、選局された放送局が携帯向けのデジタル放送を行っていることを確実に把握することが可能となる。さらに、放送局の選局後に、選局された放送局からの放送鍵の取得を必要としない携帯向けのデジタル放送を出力することによって、デジタル放送を迅速に視聴可能な状態として出力することが可能となる。
【００７９】
なお、前記一定時間としては、コンセプトに応じて種々の時間を設定することができる。例えば、放送局の選局後に当該放送局から放送鍵が取得されるまでの一般的な時間（例えば、５秒）を前記一定時間として設定するようにしてもよい。
【００８０】
上記構成に加えて、さらに、本実施形態において、Ｂ／Ｅ部５は、携帯向けのデジタル放送を前記一定時間自動的に出力した後に、前記選局された放送局から、固定向けのデジタル放送についての放送鍵が取得されている場合には、ＣＰＵ６による制御により、固定向けのデジタル放送の出力に自動的に切り替えるようになっている。具体的には、Ｂ／Ｅ部５は、固定向けのデジタル放送におけるMPEG2-TSを分解して得られた各データを、スピーカ７およびディスプレイ８にそれぞれ出力する。
【００８１】
これにより、固定向けのデジタル放送についての放送鍵が取得された後には、携帯向けのデジタル放送に替わって、画質および音質に優れた固定向けのデジタル放送を自動的に出力することが可能となる。
【００８２】
上記構成に加えて、さらに、本実施形態において、Ｂ／Ｅ部５は、前述した固定向けのデジタル放送の出力への自動的な切り替えを行った後に、固定向けのデジタル放送の受信状況が悪化した場合には、ＣＰＵ６による制御により、携帯向けのデジタル放送の出力に自動的に切り替えるようになっている。
【００８３】
これにより、ノイズやマルチパス等の影響によって固定向けのデジタル放送の受信状況が悪化した場合には、ノイズやマルチパスに強い受信状況が良好な携帯向けのデジタル放送の出力に自動的に切り替えることが可能となる。
【００８４】
上記構成に加えて、さらに、本実施形態において、Ｂ／Ｅ部５は、前述した携帯向けのデジタル放送の出力への自動的な切り替えを行った後に、固定向けのデジタル放送の受信状況が回復した場合には、ＣＰＵ６による制御により、固定向けのデジタル放送の出力に再度自動的に切り替えるようになっている。
【００８５】
これにより、固定向けのデジタル放送の受信状況が回復した場合には、再び、画質および音質に優れた固定向けのデジタル放送を自動的に出力することが可能となる。
【００８６】
なお、ＯＳＤ部１１によってディスプレイ８の表示画面上にデジタル放送の出力の切り替え（固定向けまたは携帯向けの切り替え）を行うための操作画面を表示することにより、携帯向けのデジタル放送と固定向けのデジタル放送との切り替えをユーザによる操作によって行うことができるようにしてもよい。
【００８７】
次に、デジタル放送受信機１の動作について、図２を新たに参照して説明する。
【００８８】
図２の（ａ）に示すように、デジタル放送受信機１は、Ｆ／Ｅ部３によって選局された放送局が携帯向けのデジタル放送を行っている場合には、Ｂ／Ｅ部５によって、携帯向けのデジタル放送（図２における携帯向け）を、放送局の選局後に一定時間自動的に出力する。
【００８９】
このとき、携帯向けのデジタル放送の画音は、放送局の選局後に迅速に出力されるので、ユーザは、画音が迅速に出力されることで、選局した放送局が携帯向けのデジタル放送を行っていることを容易に把握することができ、また、画音をすみやかに視聴することができる。
【００９０】
なお、選局された放送局が、固定向けのデジタル放送のみを行っている場合には、この固定向けのデジタル放送についての放送鍵が取得されてスクランブルが解除されるのを待って、固定向けのデジタル放送を視聴可能な状態として出力する。
【００９１】
次いで、図２の（ｂ）に示すように、デジタル放送受信機１は、携帯向けのデジタル放送を一定時間自動的に出力した後（図２における一定時間出力終了）、選局された放送局から放送鍵が取得されている場合には、携帯向けのデジタル放送の出力から固定向けのデジタル放送（図２における固定向け）の出力へと自動的に切り替える。
【００９２】
これにより、ユーザは、固定向けのデジタル放送についての放送鍵が取得された後は、画質および音質に優れた固定向けのデジタル放送の画音を視聴することができる。
【００９３】
次いで、図２の（ｃ）に示すように、デジタル放送受信機１は、固定向けのデジタル放送の受信状況が悪化した場合には、固定向けのデジタル放送の出力から携帯向けのデジタル放送の出力へと自動的に切り替える。
【００９４】
これにより、ユーザは、固定向けのデジタル放送の受信状況が悪化した場合においても、同じチャンネルのデジタル放送の画音を安定的に視聴することができる。
【００９５】
次いで、図２の（ｄ）に示すように、デジタル放送受信機１は、固定向けのデジタル放送の受信状況が回復した場合には、携帯向けのデジタル放送の出力から固定向けのデジタル放送の出力へと再度自動的に切り替える。
【００９６】
これにより、ユーザは、固定向けのデジタル放送の受信状況が回復した後には、再び、画質および音質に優れた固定向けのデジタル放送の画音を視聴することができる。
【００９７】
なお、（ｂ）の動作を行った後に、図２の（ｅ）に示すように、ユーザによる操作（ユーザ操作）によって、固定向けのデジタル放送の出力から携帯向けのデジタル放送の出力へと切り替えるようにしてもよい。
【００９８】
また、図２の（ｆ）に示すように、ユーザによる操作（ユーザ操作）によって、携帯向けのデジタル放送の出力から固定向けのデジタル放送の出力へと切り替えるようにしてもよい。
【００９９】
さらに、図２の（ｇ）に示すように、デジタル放送受信機１は、（ｂ）または（ｆ）によって固定向けのデジタル放送を出力している状態から、ユーザが他の放送局を新たに選局した場合であって、当該他の放送局が携帯向けのデジタル放送を行っている場合には、当該他の放送局からの携帯向けのデジタル放送の出力に自動的に切り替えて、少なくとも（ａ）および（ｂ）の動作を繰り返す。
【０１００】
したがって、本実施形態によれば、選局された放送局が携帯向けのデジタル放送を行っている場合には、携帯向けのデジタル放送を放送局の選局後に一定時間自動的に出力することにより、ユーザが、煩雑な操作を要することなく、選局された放送局が携帯向けのデジタル放送を行っていることを把握することができる。
【０１０１】
この結果、ユーザが、いずれの階層のデジタル放送が行われているのかを容易に把握することができる。
【０１０２】
さらに、本実施形態によれば、放送局の選局後に、放送鍵の取得を必要としない携帯向けのデジタル放送を出力することによって、ユーザが、デジタル放送の画音をすみやかに視聴することができる。
【０１０３】
なお、本発明は、前述した実施の形態に限定されるものではなく、必要に応じて種々の変更が可能である。
【０１０４】
例えば、前記実施形態においては、放送鍵必要階層として弱階層を挙げているが、これに限る必要はなく、放送鍵必要階層が、変調方式として１６ＱＡＭが適用される中階層であってもよい。
【図面の簡単な説明】
【０１０５】
【図１】本発明に係るデジタル放送受信機の実施形態を示すブロック図
【図２】本発明に係るデジタル放送受信機の実施形態において、デジタル放送受信機の動作を模式的に示す説明図
【図３】デジタル放送のセグメント構造を示す図
【図４】固定向けのデジタル放送と携帯向けのデジタル放送との出力の切り替え方法の一例を示す説明図
【図５】固定向けのデジタル放送と携帯向けのデジタル放送との出力の切り替え方法の図４と異なる一例を示す説明図
【図６】新ＲＭＰ方式の概要を模式的に示す説明図
【符号の説明】
【０１０６】
１  デジタル放送受信機
５  Ｂ／Ｅ部
【図１】
2007110408.tif 000003
【図２】
2007110408.tif 000004
【図３】
2007110408.tif 000005
【図４】
2007110408.tif 000006
【図５】
2007110408.tif 000007
【図６】
2007110408.tif 000008